(57)【要約】【課題】  基礎型枠を釘等によらず固定することができ、かつ基礎型枠の位置調整が可能な基礎型枠の固定方法および基礎型枠の固定具を提供する。【解決手段】  地表に所定間隔を設けて立ち上げられる基礎型枠を固定する方法であって、外側の基礎型枠８に沿って所定間隔ごとに自在に長さを調整できる基礎型枠固定具１を配置し、基礎型枠固定具１の一端の形成されたフック部３を基礎型枠の下方と係留し、基礎型枠固定具１の他端の係止部を地表に係着した後に、アジャスターによって基礎型枠固定具１の長さを調整する。【選択図】        図３
2006104819.tif 000002
【特許請求の範囲】
【請求項１】
地表に立ち上げられる基礎型枠の固定方法において、
基礎型枠に沿って自在に長さを調整できる基礎型枠固定具を配置する工程と、
前記基礎型枠固定具の一端を前記基礎型枠の下方または前記基礎型枠の下方に取り付けられた基礎型枠支持部に係留する工程と、
前記基礎型枠固定具の他端を地表に係着する工程と、
前記基礎型枠固定具の長さを調整して前記基礎型枠の位置決めを行う工程を備える
ことを特徴とする基礎型枠の固定方法。
【請求項２】
前記基礎型枠支持部は、前記基礎型枠固定具の一端の位置に応じて上下調整自在である
ことを特徴とする請求項１に記載の基礎型枠の固定方法。
【請求項３】
地表に立ち上げられる基礎型枠を固定する基礎型枠の固定具であって、
前記基礎型枠の下方または前記基礎型枠の下方に取り付けられた基礎型枠支持部と係留する係留部と、
地表に係着する係止部と、
前記係留部と係止部の間の長さを調整自在とする調整部を備える
ことを特徴とする基礎型枠の固定具。
【請求項４】
前記係留部が前記基礎型枠に対して上下調整自在である基礎型枠支持部と係留する
ことを特徴とする請求項３記載の基礎型枠の固定具。
【発明の詳細な説明】
【技術分野】
【０００１】
本発明は基礎型枠の固定方法および基礎型枠の固定具に関する。詳しくは、基礎型枠の下方を固定する基礎型枠の固定方法および基礎型枠の固定具に係るものである。
【背景技術】
【０００２】
住宅の基礎として床下の防湿目的でベタ基礎と布基礎を同時に構築する一体打ち防湿基礎がある。この一体打ち防湿基礎を打設するには、土地に基礎の配置に応じて平面掘削を行い、その底部に栗石などを敷き詰めて固め、その上にコンクリートを打設して捨てコンクリート面を形成し、この捨てコンクリート上面に外側基礎型枠とベタ基礎の厚さ分だけ捨てコンクリート面より持ち上げられた状態で内側基礎型枠を配置した後、その基礎型枠間にコンクリートを打設してベタ基礎一体打ちを行う。
【０００３】
ここで、ベタ基礎型枠の固定手段として、例えば図１０で示す様に、布部を成型しようとする部位の捨てコンクリート１０１面に図１１で示すような水平支持板１０２を釘やビス等１０３によって捨てコンクリート１０１に打ち込むことによって固定し、この水平支持板１０２の左右側に形成される凹形状のホルダー１０４内に外側基礎型枠１０５および内側基礎型枠１０６の下部を嵌め入れるという技術が提案されている（例えば、特許文献１参照。）。
【０００４】
【特許文献１】特開２００２−２０１６５０号公報（要約書、第１図および第７図）
【発明の開示】
【発明が解決しようとする課題】
【０００５】
上記したように、基礎型枠の下部を固定する場合には捨てコンクリート面に対して釘やビス等によって打ち込み固定する手段が殆どであるが、捨てコンクリートを打設し養生した後に基礎型枠を配置し、基礎型枠間にコンクリートを打設して基礎を施工する工法にあっては手間と時間が非常にかかる問題がある。
【０００６】
そこで捨てコンクリートを打たずに地表に基礎型枠を配置することで捨てコンクリートによる打設工程を省略して工期の短縮化を図ることが考えられるが、この場合には釘やビス等によって基礎型枠の下方を固定する手段が無くなり、例え釘等で固定できたとしても基礎型枠内にコンクリートを打設する際にコンクリートの圧力によって外側基礎型枠が外側へズレを生じてしまうなどの問題が想定される。
【０００７】
本発明は、以上の点に鑑みて創案されたものであって、基礎型枠の下方を釘等によって固定することなく基礎型枠を固定することができ、かつ基礎型枠の位置調整が可能な基礎型枠の固定方法および基礎型枠の固定具を提供することを目的とするものである。
【課題を解決するための手段】
【０００８】
上記の目的を達成するために、本発明に係る基礎型枠の固定方法は、地表に立ち上げられる基礎型枠の固定方法において、基礎型枠に沿って自在に長さを調整できる基礎型枠固定具を配置する工程と、前記基礎型枠固定具の一端を前記基礎型枠の下方または前記基礎型枠の下方に取り付けられた基礎型枠支持部に係留する工程と、前記基礎型枠固定具の他端を地表に係着する工程と、前記基礎型枠固定具の長さを調整して前記基礎型枠の位置決めを行う工程を備える。
【０００９】
ここで、地表に立ち上げられる基礎型枠の下方は釘等によって固定することなく、基礎型枠固定具によって固定される。この基礎型枠固定具は、その一端が基礎型枠の下方に係留され、他端が地表に杭等によって固定することによって基礎型枠下部が固定されることとなる。また、基礎型枠固定具は長さ調整自在とすることにより基礎型枠の下方の位置決めを行うことが可能となり基礎型枠内へのコンクリート打設後に基礎型枠の位置のズレが生じた際には所望の位置に戻すことが可能となる。
【００１０】
なお、基礎型枠に高さ調整自在に構成された基礎型枠支持部を取り付け、基礎型枠固定具の一端の高さ位置に応じて基礎型枠支持部の高さを調整することにより基礎型枠の下方への係留を容易に行うことが可能となる。
【００１１】
また、上記の目的を達成するために、本発明に係る基礎型枠の固定具は、地表に立ち上げられる基礎型枠を固定する基礎型枠の固定具であって、前記基礎型枠の下方または前記基礎型枠の下方に取り付けられた基礎型枠支持部と係留する係留部と、地表に係着する係止部と、前記係留部と係止部の間の長さを調整自在とする調整部を備える。
【００１２】
ここで、係止部を杭等によって地表に係着し、係留部によって基礎型枠の下方を係留することで基礎型枠の下方を固定することが可能となる。更に係留部と係止部の間に長さ調整自在用としての調整部を設けることによって基礎型枠の下方の位置決め調整を行うことができる。
【００１３】
また、基礎型枠に高さ調整自在に構成された基礎型枠支持部を取り付け、基礎型枠固定具の係留部の高さ位置に応じて基礎型枠支持部の高さを調整することにより基礎型枠の下方への係留を容易に行うことが可能となる。
【発明の効果】
【００１４】
本発明の基礎型枠の固定方法によれば、捨てコンクリートを打設せずに、地表に基礎型枠の固定が可能となり、かつ型枠を押したり引いたりの位置決め調整を自在に行うことが可能となる。
【００１５】
また、本発明の基礎型枠の固定具によれば、係留部によって基礎型枠の下方を係留し、係止部を地表に固定することによって基礎型枠の下方を釘等によらないで固定することが可能となる。また、調整部によって係留部と係止部の間の長さ調整を行うことによって、コンクリートの打設後においても基礎型枠の位置ズレの調整を行うことが可能となる。
【発明を実施するための最良の形態】
【００１６】
以下、本発明の実施の形態を図面を参酌しながら説明し、本発明の理解に供する。
図１は、本発明を適用した基礎型枠の固定方法に用いる基礎型枠の固定具の一例を示す斜視図である。
【００１７】
ここで示す固定具１は、一方の金属棒２の先端にフック部３が一体的に形成され、他方の金属棒４の先端に環状の係止部５が一体的に形成され、更にそれぞれの金属棒２、４の基部には雄ネジ部６が刻設されている。
【００１８】
そして一方の金属棒２および他方の金属棒４の雄ネジ部６を、アジャスター部７の両端に形成される雌ネジ部１０に螺合することで一端にフック部３および他端に係止部５が形成された固定具１が構成されるものである。
【００１９】
なお、一方の金属棒および他方の金属棒とアジャスター部とをネジで螺合しているために、一方の金属棒２および他方の金属棒４、またはアジャスター部７を回転させることで固定具１の全長を自在に調整できる。
【００２０】
ここで、本実施例では、一方の金属棒の先端にフック部を形成しているが、一方の金属棒の先端を基礎型枠に係留することができるのであれば、必ずしもフック形状である必要はなく、例えば、一方の金属棒の先端を環状に形成し、ボルト及びナットを用いて基礎型枠に係留する様にしても良い。
【００２１】
同様に、本実施例では、他方の金属棒の先端に環状の係止部を形成しているが、他方の金属棒の先端を地表に係止することができるのであれば、必ずしも係止部は環状である必要はない。
【００２２】
以下、図１で示す固定具を用いた基礎型枠の固定方法の一例を説明する。即ち、本発明を適用した基礎型枠の固定方法の一例を説明する。なお、図２は、ベタ基礎一体打ち工法における基礎型枠の施工例の平面図、図３は、図２における端面説明図である。
【００２３】
本発明を適用した基礎型枠の固定方法では、先ず、地表上に外側基礎型枠及び内側基礎型枠を立ち上げる。具体的には、地表Ａ上に複数枚の外側基礎型枠８および内側基礎型枠９を連結することによって１スパン長さとし、その外側基礎型枠８および内側基礎型枠９の上端をセパレータ１９によって連結することで一定間隔を設けて立ち上げる。
【００２４】
ここで、外側基礎型枠８および内側基礎型枠９の下端は基礎型枠受けスペーサー１１によって支持されている。なお、内側基礎型枠９はベタ基礎の厚さ分だけ地表Ａ面より持ち上げられた状態で支持されている。
【００２５】
また、固定具１は１スパン長さの外側基礎型枠８に対して所定間隔ごとに配置し、各固定具１の係止部５内に杭１２を挿し通して地表Ａ内に打ち込んで固定具１の他端を地表Ａ面に固定し、固定具１の一端のフック部３を外側基礎型枠８の所要個所に係留することで外側基礎型枠８を固定している。なお、アジャスター部７によって固定具１の全長長さを調整し、外側基礎型枠８下端の位置調整を行う。
【００２６】
ここで、固定部１のフック部３を外側基礎型枠８に係留する個所としては図４（イ）、（ロ）、（ハ）等が考えられる。即ち、通常基礎型枠は金属パネルで構成される場合が多く、この金属製の外側基礎型枠８では隣接する外側基礎型枠８は連結ピン１３および連結ピン１３に取り付けられる挟持クリップ１４によって互いに連結されるのであるが、図中（イ）、（ロ）で示すように連結ピン１３の左右いずれかの一方にフック部３を係留させる場合や図中（ハ）で示すように挟持クリップ１４にフック部３を係留させる場合等が考えられる。
【００２７】
また、固定部１のフック部３を外側基礎型枠８に直接に係留せずに図５（イ）で示すように外側基礎型枠８の下端に取り付けられる基礎型枠受けスペーサー１１に係留したり、図５（ロ）で示すように複数の外側基礎型枠８の下端を同列状に配列するための基礎型枠受け部１５に係留したりしても良い。
【００２８】
ところで、図６に示すように固定具１のフック部３が固定される地表Ａ面と外側基礎型枠８が立ち上げられる地表Ａ面とに段差がある場合には、外側基礎型枠および基礎型枠受けスペーサー並びに基礎型枠受け部に係留することが困難である。
そこで、かかる場合にはフック部３の高さに応じて自在に高さ調整が行える基礎型枠支持部１６を取り付け、この基礎型枠支持部にフック部を係留した方が好ましい。
【００２９】
ここで、基礎型枠支持部１６は、例えば図７に示すように基礎型枠の厚さを有する断面Ｉ字形状に形成されるものであり、この基礎型枠支持部１６を隣接する外側基礎型枠８によって挟んだ状態で取り付けることで外側基礎型枠８間を上下摺動自在な構成となる。
【００３０】
なお、基礎型枠支持部は必ずしも図７に示す形状で構成される必要性は無く、例えば図８（イ）、（ロ）でそれぞれ示すように断面Ｔ字形状や断面Ｌ字形状など外側基礎型枠に対して係留しながら上下調整できるものであればいかなる形状のものであっても構わない。
【００３１】
その後、図９で示すように、外側基礎型枠と内側基礎型枠内にコンクリート１７を打設することによって、コンクリート基礎を形成することができる。
【００３２】
なお、本実施例ではベタ基礎一体打ち施工のみについて詳述してきたが、地表面に直接に基礎型枠を立ち上げる場合であればいかなる施工方法であっても構わない。
また、内側基礎型枠を地表面上に立ち上げる場合であれば内側基礎型枠に本発明の固定具を適用することは勿論のことである。
【００３３】
以上の構成より成る本発明では、基礎型枠の下端を釘などによって直接に固定することなく間接的に固定することができるために、捨てコンクリートを施工せずに地表面上に基礎型枠を立ち上げることができるために従来の基礎ベタ一体打ち工法に比べて一工程を省略することができ、これにより大幅な工期の短縮およびコストの低減を可能とするものである。
【００３４】
また、基礎型枠の立ち上げ後に固定具のアジャスター部によって固定具の全長長さを自在に調整することができ、これにより基礎型枠下端の位置ズレの修正を容易に行うことが可能となる。
【図面の簡単な説明】
【００３５】
【図１】本発明を適用した基礎型枠の固定方法における基礎型枠の固定具の一例を示す斜視図である。
【図２】本発明の固定具を用いてのベタ基礎一体打ち工法における基礎型枠の施工例の平面図である。
【図３】図２における端面説明図である。
【図４】本発明の固定具のフック部と基礎型枠との係留個所の例を示す説明図である。
【図５】本発明の固定具のフック部と基礎型枠以外との係留個所の例を示す説明図である。
【図６】本発明の固定具のフック部と係留する基礎型枠支持部の一例を示す説明図である。
【図７】本発明の固定具のフック部と係留する基礎型枠支持部の他の例を示す説明図である。
【図８】地表面にベタ基礎を打設した後に基礎型枠を立ち上げてコンクリートを打設する場合の本発明の固定具の使用状態を示す説明図である。
【図９】図８において併用する外側基礎型枠支持板の一例を示す説明図である。
【図１０】従来のベタ基礎一体打ち工法における基礎型枠の立ち上げ状態を示す説明図である。
【図１１】図１０において使用する水平支持板の斜視図である。
【符号の説明】
【００３６】
１      固定具
２      一方の金属棒
３      フック部
４      他方の金属棒
５      係止部
６      雄ネジ部
７      アジャスター部
８      外側基礎型枠
９      内側基礎型枠
１０    雌ネジ部
１１    基礎型枠受けスペーサー
１２    杭
１３    連結ピン
１４    挟持クリップ
１５    基礎型枠受け部
１６    基礎型枠支持部
１９    セパレータ
【図１】
2006104819.tif 000003
【図２】
2006104819.tif 000004
【図３】
2006104819.tif 000005
【図４】
2006104819.tif 000006
【図５】
2006104819.tif 000007
【図６】
2006104819.tif 000008
【図７】
2006104819.tif 000009
【図８】
2006104819.tif 000010
【図９】
2006104819.tif 000011
【図１０】
2006104819.tif 000012
【図１１】
2006104819.tif 000013